(57)【特許請求の範囲】
【請求項１】
絶縁台に固定された一対の板ばねと、前記絶縁台に回動可能に支持されたブレードとを備え、前記各板ばねはそれぞれ一端に接触子が形成され、また他端に端子が形成されるとともに、前記接触子が間隔を介して互いに対向するように配置され、一方、前記ブレードは導電板とその上部に装着された絶縁物のハンドルとからなり、前記導電板が前記接触子間を橋絡接続する閉路位置と前記接触子から離れる開路位置との間で回動操作されて、前記端子間の電路を閉路及び開路する断路端子台において、
前記ブレードの上面に被さる窓穴を有する絶縁物のカバーを、その一端を支点にして回動して開閉するように前記絶縁台に装着し、前記カバーを開放した状態で前記ブレードを開路位置へ操作した後、このブレードの先端部分を前記窓穴から突出させて前記カバーを閉塞することにより、前記ブレードが前記カバーと当接して開路位置にロックされるようにするとともに、前記カバーを開放した状態で前記ブレードを閉路位置へ操作した後、このカバーを閉塞することにより、前記ブレードが前記カバーと当接して閉路位置にロックされるようにしたことを特徴とする断路端子台。
【請求項２】
絶縁台に固定された一対の板ばねと、前記絶縁台に回動可能に支持されたブレードとを備え、前記各板ばねはそれぞれ一端に接触子が形成され、また他端に端子が形成されるとともに、前記接触子が間隔を介して互いに対向するように配置され、一方、前記ブレードは導電板とその上部に装着された絶縁物のハンドルとからなり、前記導電板が前記接触子間を橋絡接続する閉路位置と前記接触子から離れる開路位置との間で回動操作されて、前記端子間の電路を閉路及び開路する断路端子台において、
前記ブレードの上面に被さる絶縁物のカバーを、その一端を支点にして回動して開閉するように前記絶縁台に装着し、前記カバーを開放した状態で前記ブレードを閉路位置へ操作した後、このカバーを閉塞することにより、前記ブレードが前記カバーと当接して閉路位置にロックされるようにしたことを特徴とする断路端子台。
【請求項３】
絶縁台に固定された一対の板ばねと、前記絶縁台に回動可能に支持されたブレードとを備え、前記各板ばねはそれぞれ一端に接触子が形成され、また他端に端子が形成されるとともに、前記接触子が間隔を介して互いに対向するように配置され、一方、前記ブレードは導電板とその上部に装着された絶縁物のハンドルとからなり、前記導電板が前記接触子間を橋絡接続する閉路位置と前記接触子から離れる開路位置との間で回動操作されて、前記端子間の電路を閉路及び開路する断路端子台において、
窓穴を有する絶縁物のカバーを前記ブレードの上面に被さるように前記絶縁台に装着し、前記カバーを開放した状態で前記ブレードを開路位置へ操作した後、前記カバーを閉塞したとき、前記ブレードの先端部分が前記窓穴から突出されるとともにブレードの導電板の一部が前記カバーの窓穴から外部に露呈され、前記ブレードが前記カバーと当接して開路位置にロックされるようにしたことを特徴とする断路端子台。
【発明の詳細な説明】
【０００１】
【発明の属する技術分野】
この発明は、各種システムの配線経路に挿入され、接続変更作業時や上位系プログラムの動作確認時などに電路を物理的に切り離し、確認作業の影響がシステムに及ばないようにする断路端子台に関する。
【０００２】
【従来の技術】
上記断路端子台は一般にナイフ式あるいは押ボタン式のスイッチと同様の原理で構成されているが、従来はこの断路端子台を開路状態にして確認作業している最中に不用意に接触して閉路してしまうことが考えられ、通電部に防護テープを貼り付けるなどの工夫をして事故を予防していた。
【０００３】
【発明が解決しようとする課題】
しかしながら、不用意な閉路を避けるために防護テープなどの手段を講じなければならない従来の断路端子台は取扱いが面倒であり、現場作業において手間のかからない防護方式が望まれている。更に、断路端子台としては閉路状態から不用意に開路されないこと、開路状態か閉路状態かの見分けが容易であること、開路状態において電路が活線状態かどうかの確認作業が簡単であることなどの機能を有することが望ましい。
この発明は上記の要望の下になされたもので、その課題はナイフ式の断路端子台において、不用意な閉路あるいは開路に対する防護機能を内蔵させ、また開閉状態の見分けを容易にし、更に開路状態における電路の活線確認作業を簡単かつ確実にすることにある。
【０００４】
【課題を解決するための手段】
上記課題を解決するために、この発明は、絶縁台に固定された一対の板ばねと、前記絶縁台に回動可能に支持されたブレードとを備え、前記各板ばねはそれぞれ一端に接触子が形成され、また他端に端子が形成されるとともに、前記接触子が間隔を介して互いに対向するように配置され、一方、前記ブレードは導電板とその上部に装着された絶縁物のハンドルとからなり、前記導電板が前記接触子間を橋絡接続する閉路位置と前記接触子から離れる開路位置との間で回動操作されて、前記端子間の電路を閉路及び開路する断路端子台において、
窓穴を有する絶縁物のカバーを、前記ブレードの上面に被さるようにその一端を前記絶縁台に回動可能に装着し、前記カバーを開放した状態で前記ブレードを開路位置へ操作した後、このブレードの先端部分を前記窓穴から突出させて前記カバーを閉塞することにより、前記ブレードが前記カバーと当接して開路位置にロックされるようにするとともに、前記カバーを開放した状態で前記ブレードを閉路位置へ操作した後、このカバーを閉塞することにより、前記ブレードが前記カバーと当接して閉路位置にロックされるようにするものである（請求項１）。
【０００５】
この請求項１によれば、前記カバーが、一端を支点に回動して開閉するように前記絶縁台に装着されるので、カバーの紛失防止ができるとともに、カバーおよび窓穴によりブレードを開路状態および閉路状態にロックできるので、不用意に電路を閉路または開路することが防止される。また、ブレードがカバーの窓穴から突出するため、これにより開路状態と閉路状態とを容易に識別できる。
【０００６】
同じく、この発明は、前記ブレードの上面に被さる絶縁物のカバーを、その一端を支点にして回動して開閉するように前記絶縁台に装着し、前記カバーを開放した状態で前記ブレードを閉路位置へ操作した後、このカバーを閉塞することにより、前記ブレードが前記カバーと当接して閉路位置にロックされるようにするものである（請求項２）。この請求項２によれば、請求項１と同様に、前記カバーが、一端を支点に回動して開閉するように前記絶縁台に装着されるので、カバーの紛失防止ができるとともに、カバーを利用してブレードを閉路状態にロックできるので不用意に電路を開路することが防止される。
【０００７】
また、この発明は、窓穴を有する絶縁物のカバーを前記ブレードの上面に被さるように前記絶縁台に装着し、前記カバーを開放した状態で前記ブレードを開路位置へ操作した後、前記カバーを閉塞したとき、前記ブレードの先端部分が前記窓穴から突出されるとともにブレードの導電板の一部が前記カバーの窓穴から外部に露呈され、前記ブレードが前記カバーと当接して開路位置にロックされるようにするものである（請求項３）。
この請求項３によれば、上記断路端子台において、前記開路位置で前記ブレードの導電板の一部が前記カバーの窓穴から外部に露呈するようにしているので、この露呈部分に検電棒やテスターを接触させ、電路の活線の有無を確認することができて便利である。
【０００８】
【発明の実施の形態】
以下、図１〜図４に基づいて、複数極の断路端子台が一体構成された端子台ブロックとしてのこの発明の実施の形態を説明する。ここで、図１の（Ａ）は閉路状態における端子台ブロックの一端部の平面図、（Ｂ）はその正面図、図２は図１（Ａ）のII−II線に沿う拡大断面図、図３は図２の断路端子台を開路させた状態の図、図４は図１の端子台ブロックの内部を示す分解斜視図である。図１に示すように、端子台ブロック１は複数極、例えば１６極の断路端子台２が横並びに一体化されて構成され、両端（図１では一端のみ示されている。）に取付ねじ３が設けられている。
【０００９】
図２及び図４において、各極の断路端子台２は、モールド樹脂からなる共通の絶縁台４に固定された前後一対の板ばね５及び６と、絶縁台４に回動可能に支持されたブレード７とを備えている。例えばリン青銅板からなる板ばね５及び６は、それぞれ一端に一対のく字状接触片からなるクリップ式の接触子５ａ及び６ａが形成され、接触子５，６同士が一直線上に間隔を置いて並ぶように絶縁台４に固定されている。
【００１０】
板ばね５の他端には、接触子５ａから真下に延びる一対のＵ字状脚片からなるソケット式の端子５ｂが形成され、板ばね５は端子５ｂが絶縁台４の凹部に圧入されて固定されるとともに、端子５ｂの先端は絶縁台４の裏面の差込穴８に臨んでいる。一方、板ばね６の他端には、接触子６ａの前方に水平に延び出す平板な方形の端子６ｂが形成され、板ばね６は絶縁台４の凹部に圧入された角ナット９（図２）に端子６ｂを通してねじ込まれた端子ねじ１０により、スプリングワッシャ１１及び角ワッシャ１２を介して締め付け固定されている。
【００１１】
ブレード７は、例えば黄銅板からなる導電板１３の上部に、樹脂成形品のハンドル１４が嵌め込まれて構成され、導電板１３の下部はくさび状に形成されている。ハンドル１４は一端に左右側方に突出する一対の支持軸１４ａが一体形成され、また上面に把手１４ｂが一体形成されている。一方、図４に示すように、絶縁台４には、接触子５ａの近傍両側に位置するように、軸受台４ａが一体に立ち上げ形成され、その上面には軸受溝４ｂが設けられている。そこで、ブレード７は、支持軸１４ａを介して軸受溝４ｂに回動可能に支持されている。
【００１２】
ここで、絶縁台４の内側には図４に示す遮蔽板１５が設けられ、ブレード７の支持軸１４ａは遮蔽板１５により、その下面に形成された軸受溝１５ａを介して軸受台４ａ上に保持されている。モールド樹脂から成形された遮蔽板１５は、図４に示すように、接触子５ａ，６ａの上方を覆う上部壁１５ｂ、接触子６ａの前方を覆う前部壁１５ｃ及び極間隔壁１５ｄからなり、上部壁１５ｂには導電板１３を通すスリット１５ｅ及びハンドル１４を通す開口１５ｆが設けられている。この遮蔽板１５は図２に示すように絶縁台４に装着され、前後のフック１５ｇ及び１５ｈを介して係止されている。その際、ブレード７を遮蔽板１５に下面側から組み合わせて支持軸１４ａを軸受溝１５ａに挿入し、その状態で支持軸１４ａを軸受溝４ｂに挿入しながら遮蔽板１５を絶縁台４に装着する。
【００１３】
図１、図２及び図４において、断路端子台２にはブレード７の上面に被さるように、樹脂透明板からなるカバー１６が各極一体に設けられている。カバー１６は両端の突軸１６ａが絶縁台４の穴に嵌め込まれて取り付けられ、突軸１６ａを支点に回動して開閉する。また、カバー１６の両端には突軸１６ａと反対の側に突起１６ｂが設けられ、図２のカバー閉塞状態でこの突起１６ｂが絶縁台４の穴４ｃ（図４）に嵌まり込んで開き止めされる。ここで、カバー１６には各極ごとに長方形の窓穴１６ｃがあけられており、この窓穴１６ｃは図２の閉路状態において、ブレード７のハンドル１４の大部分と重なるようになっている。
【００１４】
上記した断路端子台２は、例えば電力向遠隔監視・制御システムの配線経路に挿入され、端子５ｂに図示しない入力側の配線がプラグ端子を介して差込み接続され、また端子６ｂに出力側の配線がアンプ端子を介して締付け接続される。図２の閉路状態において、断路端子台２のブレード７は閉路位置にあり、導電板１３が接触子５ａ及び６ａの各々の対向する接触片間に押し込まれて接触子５ａ，６ａ間を橋絡し、端子５ｂ，６ｂ間の電路を閉路している。また、カバー１６は絶縁台４の上面に沿うように閉塞され、突起１６ｂが絶縁台４の穴４ｃ（図４）に嵌まり込んで開き止めされている。
【００１５】
ブレード７を図２の閉路位置から開路位置に操作するには、把手１４ｂを持ってブレード７を支持軸１４ａを支点に右向きに回動させ、導電板１３を接触子１６ａから引き抜くが、ブレード７を開路方向に回動させようとするとハンドル１４の先端部分１４ｃがカバー１６の下面に当接するためブレード７を回動できず、従って電路を開くことができない。すなわち、ブレード７は閉路位置にロックされている。なお、ブレード７の開路操作において、導電板１３は接触子５ｂに対しては摺動するが引き抜かれることはなく常に接触を保っている。
【００１６】
図３はブレード７を開路位置まで回動操作し、電路を開いた状態を示すものである。図２の閉路状態から電路を開くには、カバー１６を図３に２点鎖線で示す直立位置まで開放してブレード７との当接を解き、ブレード７を図３の開路位置まで回動させる。次いで、カバー１６を図３の実線位置まで閉塞すると、ブレード７の先端部分がカバー１６の窓穴１６ｃから突出する。図３の開路状態からブレード７を再び閉路位置に操作するには、把手１４ｂを持ってブレード７を左向きに回動させ、導電板１３を接触子１６ａに押し込むが、ブレード７を閉路方向に回動させようとすると導電板１３の角部１３ａがカバー１６の窓穴周壁に当接してブレード７を回動できず、従って電路を閉じることができない。すなわち、ブレード７は開路位置にロックされている。
【００１７】
図３の開路位置において、ブレード７は導電板１３の前端部がカバー１６の窓穴１６ｃから外部に露呈している。従って、開路した電路が活線状態にあるかどうかは検電棒などを導電板１３に接触させて容易に確認することができる。
【００１８】
以上示した断路端子台２において、図２の閉路状態で不用意にブレード７に接触しても、カバー１６に妨げられてブレード７が開路位置に回動することがなく、従ってシステムの動作中に誤って開路することにより出力を中断して誤動作を招く危険がない。また、図３の開路状態において不用意にブレード７に接触しても、カバー１６に妨げられてブレード７が閉路位置に回動することがなく、電路を切り離している最中に誤って閉路してシステムに影響を与える危険がない。更に、開路状態ではブレード７がカバー１６から突出するため、開路中か閉路中かの見分けが容易である。更にまた、カバー１６は絶縁台４の穴に嵌め込んだ突軸１６ａを支点に開閉するように取り付けたので、開放状態で絶縁台４から分離して紛失する心配がない。
【００１９】
なお、図示実施の形態では断路端子台２を複数極一体化して端子台ブロック１を構成した例を示したが、この発明は１極構造の断路端子台２についても同様に適用可能である。また、カバー１６は突軸１６ａを支点に開閉する例を示したが、カバー１６の紛失などの点を除けば例えばスナップ構造による脱着式として、開放時には絶縁台４から完全に取り外すようにしても差し支えない。
【００２０】
【発明の効果】
この発明によれば、開路位置あるいは閉路位置のブレードが不用意に閉路位置あるいは開路位置に回動されることを防ぐカバーを設けたことにより、断路端子台を挿入した配線経路の事故を未然に防止することができるとともに、カバーから突出するブレードにより開路状態であることが容易に識別できる。また、ブレードの開路位置において、導電板の一部を外部に露呈させるようにしたことにより、電路の活線状態の確認を簡単に行なうことができる。
【図面の簡単な説明】
【図１】  この発明の実施の形態を示す断路端子台を複数極一体構成した端子台ブロックを示し、（Ａ）は平面図、（Ｂ）は正面図である。
【図２】  図１のII−II線に沿う拡大断面図である。
【図３】  図２の断路端子台を開路した状態の図である。
【図４】  図１の端子台ブロックの内部を示す分解斜視図である。
【符号の説明】
１    端子台ブロック
２    断路端子台
４    絶縁台
５    板ばね
６    板ばね
７    ブレード
１０    端子ねじ
１３    導電板
１４    ハンドル
１５    遮蔽板
１６    カバー
１６ｃ  窓穴
【図１】
0003972231.tif 000002
【図２】
0003972231.tif 000003
【図３】
0003972231.tif 000004
【図４】
0003972231.tif 000005